(57)【特許請求の範囲】
【請求項１】
間隙を隔てて設けられた建物躯体にホルダを介して上記間隙を覆うカバー材を取り付けたエキスパンションジョイントにおいて、
上記ホルダには、両側の建物躯体上に支持されるベース部と、ベース部上に設けられて上記間隙を覆うカバー材を支持するカバー材支持部とを設け、建物躯体には、上記ベース部を上記間隙の長手方向及び幅方向に摺動自在に保持する保持部を設け、
上記ベース部を、前記間隙の幅方向に上下に並列に配置された水平の細長い支承部材によって構成し、これらの支承部材をその両端から立ち上げられた連接部を介して前記カバー材支持部の両端近傍に一体に固定するとともに、
上記保持部は上記支承部材の間を貫通させ、その端部を建物躯体に固定した
ことを特徴とするエキスパンションジョイント。
【請求項２】
前記ベース部を、両側の建物躯体に代え、一方の建物躯体上に摺動自在に支持させ、前記カバー材支持部の他端を他方の建物躯体の壁部に回動自在に連結した、請求項1記載のエキスパンションジョイント。
【請求項３】
前記ベース部を、上下に並列配置された細長い支承部材によって構成し、前記保持部を上記支承部材の間を貫通させることに代え、前記ベース部を、細長い支承部材の両端から立ち上げられた連接部を介して前記カバー材支持部の両端近傍に一体に固定してなる構成とし、前記保持部を前記建物躯体上にその長手方向に上下に並列して設けられた支承部によって構成し、上記ベース部の支承部材を上記保持部の上下の支承部間に摺動自在に貫通させた、請求項1又は２に記載のエキスパンションジョイント。
【請求項４】
前記カバー材支持部は、カバー材の天板の背面に沿うとともにカバー材の側板下端と係止する係止片を形成した承部材と、この支承部材上に設けられてカバー材の天板を載置するための補強材とを重合状に一体に結合してなるものである、請求項1、２又は３に記載のエキスパンションジョイント。
【請求項５】
前記カバー補強材を、前記支承部材上に結合することに代え、前記カバー材の天板背面に取付け、このカバー補強材を上記支承部材上に載置した、請求項４に記載のエキスパンションジョイント。
【発明の詳細な説明】
【０００１】
【発明の属する技術分野】
本発明は、間隙を隔てて設けられた建物躯体にホルダを介して上記間隙を覆うカバー材を取り付けたエキスパンションジョイントに関する。
【０００２】
【従来技術】
エキスパンションジョイントは間隙を隔てて設けられた建物躯体にホルダを介して上記間隙を覆うカバー材を取り付けて成るものである。一般に、ホルダは、特開平８−１５１６９４号公報に示されるように、カバー材の背面に沿って設けられるものや、実公平８−１００９２号公報に示されるように、建物躯体の高さに沿って水平に形成されたものや、特公平４−７７８２号公報に示されているように、一部はカバー材の背面に沿って斜めに、他の一部は建物躯体の高さに沿って水平に設けられたものが知られている。
【０００３】
ホルダがカバー材の背面に沿って設けられるものでは、カバー材の変形を防止する効果があるが、ホルダがカバー材の幅方向に摺動しにくいために、震動、不同沈下等にうまく対応できないおそれがある。また、ホルダが建物躯体の高さに沿って水平に形成されている場合は、震動、不同沈下等には対応できるが、カバー材の変形を防止することはできない。これに対し、ホルダの一部がカバー材の背面に沿って斜めに、他の一部が建物躯体の高さに沿って水平に設けられているものの場合は、カバー材の変形にも震動、不同沈下等の変位にも対応することができる。しかし、これは構造が複雑になりすぎ、コストが高く、現実的ではない。
【０００４】
【発明が解決しようとする課題】
本発明は上記問題点に鑑み、カバー材の変形を確実に防止し、震動、不同沈下等の変位にも対応することができるとともに、構造が簡単で。コストも低く抑えることができるエキスパンションジョイントを提供することをその課題とする。
【０００５】
【課題を解決するための手段】
前記課題を解決するため、本発明に係るエキスパンションジョイントは、間隙を隔てて設けられた建物躯体にホルダを介して上記間隙を覆うカバー材を取り付けたエキスパンションジョイントにおいて、上記ホルダには、両側の建物躯体上に支持されるベース部と、ベース部上に設けられて上記間隙を覆うカバー材を支持するカバー材支持部とを設け、建物躯体には、上記ベース部を上記間隙の長手方向及び幅方向に摺動自在に保持する保持部を設け、前記ベース部を、前記間隙の幅方向に上下に並列に配置された水平の細長い支承部材によって構成し、これらの支承部材をその両端から立ち上げられた連接部を介して前記カバー材支持部の両端近傍に一体に固定するとともに、前記保持部は上記支承部材の間を貫通させ、その端部を建物躯体に固定したことを特徴とする。
【０００６】
なお、前記ベース部を、両側の建物躯体に代え、一方の建物躯体上に摺動自在に支持させ、前記カバー材支持部の他端を他方の建物躯体の壁部に回動自在に連結するように構成するのが好ましい。
【０００７】
また、前記ベース部を、上下に並列配置された細長い支承部材によって構成し、前記保持部を上記支承部材の間を貫通させることに代え、前記ベース部を、細長い支承部材の両端から立ち上げられた連接部を介して前記カバー材支持部の両端近傍に一体に固定してなる構成とし、前記保持部を前記建物躯体上にその長手方向に上下に並列して設けられた支承部によって構成し、上記ベース部の支承部材を上記保持部の上下の支承部間に摺動自在に貫通させるのが好ましい。
【０００８】
前記カバー材支持部は、カバー材の天板の背面に沿うとともにカバー材の側板下端と係止する係止片を形成した承部材と、この支承部材上に設けられてカバー材の天板を載置するための補強材とを重合状に一体に結合して構成するのがよい。
【０００９】
なお、前記カバー補強材を、前記支承部材上に結合することに代え、前記カバー材の天板背面に取付け、このカバー補強材を上記支承部材上に載置するようにしてもよい。
【００１０】
【発明の実施の形態】
図１はエキスパンションジョイントの断面を示し、図２はその斜視図を示すもので、このエキスパンションジョイントは、間隙Ｓを隔てて設けられた建物躯体１、２にホルダ３を介して上記間隙Ｓを覆うカバー材４を取り付けて成るものである。なお、５は止水板、６は耐火帯である。
【００１１】
両側の建物躯体１、２は図２のように同じ構造でもよく、図１又は後述のように別の構造であってもよい。
【００１２】
カバー材４は長尺材やパネルのアルミニウム製又はステンレス鋼製で、中央から両側に傾斜した天板４ａと、天板４ａの幅方向両側端から垂下した側板４ｂとから構成されている。側板４ｂの下端からは内側に屈曲部７が形成されている。
【００１３】
また、大幅な間隙Ｓを形成した建物躯体１、２に用いるカバーの例示では、カバー材４をパネルとしこの背面にコ字形・口字形・日字形・目字形・格子形等に枠組み形成したカバー補強部材４ｃを取付け構成されている。
【００１４】
上記ホルダ３はアルミニウム又は鋼製等の金属から構成された建物躯体１、２間に架設し得る短尺材で、ホルダ３には、両側の建物躯体１、２に支持されるベース部８と、ベース部８上に離間し空隙を有して区画状に設けられて上記間隙Ｓを覆うカバー材４を支持するカバー材支持部９とが一体に結合形成されている。
【００１５】
ベース部８は上記間隙Ｓの幅方向に上下に離間し並列に配置された水平の細長い支承部材８ａによって構成され、両端には立ち上げ状の連接部８ｂが形成されている。
【００１６】
カバー材支持部９は、カバー材４の天板の背面に沿う基部から下方に屈曲してカバー材４の側板下端と係止する係止片１１を形成した細長い支承部材９ａと、この支承部材９ａの基部上に、カバー材４天板を載置するための補強材９ｂとを重合状に一体に結合してなるもので、支承部材８ａの両端近傍は上記ベース部８の立ち上げ状の連接部８ｂと一体に固定され、支承部材９ａに対して拡張状に角度を持つように区画しつつ斜めに固定されている。
【００１７】
なお、ベース部８とカバー材支持部９の中央にも間隔保持部１２が配設されている。補強材９ｂは断面Ｃ字形・ロ字形・平棒形等の部材によって構成され、カバー材４の天板４ａと同じ長さになっている。
【００１８】
なお、カバー材支持部９は、前記補強材９ｂを除いた支承部材９ａのく字形構成に置換えてもよい。
【００１９】
次に、建物躯体１、２には上記ホルダ３のベース部８を建物躯体１、２間の間隙Ｓの幅方向に摺動・上下前後に傾動自在に保持する保持部１３が建物躯体１、２の長手方向に向けて適数個が隔て設けられている。保持部１３は図２に示されるように、上記細長い支承部材８ａの間を貫通する棒状の保持材１０によって構成され、棒棒状の保持材１０の両端は、建物躯体１、２上に配置された支持ブロック１３ａの取付孔にボルト・ビス等の止具で固定されている。これにより、ベース部８は上記間隙Ｓの幅方向と長手方向等に摺動自在に保持される。
【００２０】
上記構成において、ホルダ３は建物躯体１、２に対して上記間隙Ｓの長さ方向及び幅方向のいずれにも摺動自在に保持される。また、ホルダ３の上部にはカバー材４が載置され、カバー材４の両側板４ｂの下端屈曲部７はホルダ３の係止片１１に係止している。なお、建物躯体１、２とカバー材４の両端との間には止水板５ａ、５ｂが配設されている。
【００２１】
隣り合うホルダ３は図２のようにフラッシング受け部１４でＨ字形・目字形・梯子形等構成に連結し、ホルダ３強度や隣合うカバー端縁の係合強度を高めたり、排水ジョイントの支承を容易とさせるのもよいが、各ホルダ３を幅広として独立に配設してもよい。
【００２２】
ところで、上記カバー材４は間隙Ｓの長手方向に連設されている。すなわち、図３に示されるように、２枚のカバー材４が若干目地を有して隣合う連設部には２個のホルダ３にフラッシング受け部１４を介して連接配置され、各ホルダ３には、カバー材支持部９の細長い支承部材９ａの下面に補強板１５を固定し、上記細長い支承部材９ａの間には断面が下向きコ字形（Ｃ字形でもよい）の排水ジョイント受け１６を配設する。さらに、排水ジョイント受け１６上には凹凸条形成の排水ジョイント１７を固定する。そして、排水ジョイント１７上に隣り合うカバー材４が連設されるようにしている。
【００２３】
上記細長い支承部材９ａ上面には、幅広パネルな上記カバー材４背面に取付けたカバー補強材４ｃが載置されて支承されている。
【００２４】
上記エキスパンションジョイントによれば、ホルダ３にはベース部８の確実な支承とカバー材４の背面に沿うように設けられたカバー材支持部９の区画が形成され各個々の機能を備えながら構成しているから、カバー材４の変形を確実に防止することができる。
【００２５】
また、ホルダ３のベース部８は、建物躯体１、２の保持部１３に躯体１、２間の間隙Ｓの幅方向・長手方向・斜め方向に摺動自在、かつ、保持部を基点とした枢支作用に保持されているから、震動、不同沈下、温度変化等により、両側の建物躯体１、２が変位しても、これに良好に追従して対応することができる。
【００２６】
しかも、ホルダ３の構造は簡単であるから、コストを低く抑えることができる。
【００２７】
次に、間隙Ｓを挟んで設けられた建物躯体１、２の入隅部にカバー材４を設けるときは、図４に示されるように、ホルダ３のカバー材支持部９を一方に傾斜させ、その下部に水平のベース部８を設ける構成とし、ベース部８を一方の建物躯体1上に支持させ、カバー材支持部９の端部を他方の建物躯体２の壁部に支持させるようにしてもよい。
【００２８】
ベース部８と一方の建物躯体１、２との支持態様は上述の例と同じである。
【００２９】
これに対し、ホルダ３と他方の建物躯体２との支持は、図４、図５に示されるように、ホルダ３のカバー材支持部９の上端を垂直に起立させた起立部１８と、この起立部１８の外面横向きに丸棒・パイプ等の保持具１９を固定する一方、建物側には上記保持具１９を支承する？字形の受け部２０、２０間に回動可能に取付けた金属板から形成した保持部２１を他方の建物躯体２の壁部に設けたＬ形の下地材２６にボルトやビス等の止具で固定されている。これにより、ホルダ３のカバー支持部９は上記丸棒等の保持具１９がヒンジとなり、壁部に回動自在に連結される。
【００３０】
なお、図４において図１、図２と同じ符号は同じ部材を示す。
【００３１】
上記エキスパンションジョイントによっても、ホルダ３にはカバー材４の背面に沿うように設けられたカバー材支持部９が下地材２６に配設形成されているから、カバー材４の変形を確実に防止することができる。
【００３２】
また、ホルダ３のベース部８は、一方の建物躯体１の保持部１３に躯体１、２間の間隙Ｓの幅方向・長手方向や斜め方向に摺動自在に変位しながら保持され、またカバー支持部９は他方の建物躯体２に回動自在に連結されているから、震動、不同沈下、温度変化等により、両側の建物躯体１、２が変位しても、これに良好に追従して対応することができる。
【００３３】
しかも、ホルダ３の構造は簡単であるから、コストを低く抑えることができる。
【００３４】
コマ状の保持具からなる保持部２４は図６のように、上下の角板又は長尺の支持受材２６をヒンジ部２７で回動自在に連結するように構成してもよい。
【００３５】
なお、カバー材４の端部と建物躯体１、２との間に配設されたゴム製の止水板５ｂの中間部に吊具を介して移動可能にベース部８に吊るようにしてもよい。
【００３６】
また、ホルダ３と上記一方の建物躯体１との支持は、図７に示されるように、ホルダ３のベース部８を１枚の細長い支承部材８ａによって構成する一方、建物躯体１の保持部１３は建物躯体１の長手方向に上下に並列したＶ字形・Ｕ字形・丸棒等の稜線材を対設した支承部２６によって構成し、Ｖ字形等の支承部２６の隙間にベース部８を摺動自在・傾動自在等に貫通させることによって支持している。
【００３７】
なお、同図において図１及び図２と同じ符号は同じ部材を示す。
【００３８】
上記エキスパンションジョイントによっても、ホルダ３にはカバー材４の傾斜状背面に沿うように設けられたカバー材支持部９が形成されているから、カバー材４の変形を確実に防止することができる。
【００３９】
また、ホルダ３のベース部８は、一方の建物躯体１、２の保持部１３に躯体間の間隙Ｓの長手方向及び幅方向・長手方向・傾動方向等に摺動自在に保持されているから、震動、不同沈下、温度変化等により、両側の建物躯体１、２が変位しても、これに良好に追従して対応することができる。
【００４０】
しかも、ホルダ３の構造は簡単であるから、コストを低く抑えることができる。
【００４１】
なお、カバー材支持部の構成は、上述の例に限定されない。カバー補強材９ｂを、支承部材９ａ上に結合することに代え、カバー材４の天板背面に取付け、このカバー補強材９ｂを上記支承部材９ａ上に載置するようにしてもよい。
【００４２】
【発明の効果】
請求項１に係る発明によれば、ホルダのベース部とカバー材支持部の区画によって、カバー材の支承とホルダの変位対応の度合いを大きく支承させつつ各機能を互いに誘起できるエキスパンションジョイントの支持構成がえられる。
【００４３】
また、ホルダにはカバー材の背面に沿うように設けられたカバー材支持部が形成されているから、カバー材の変形を確実に防止することができる。
【００４４】
また、ホルダのベース部は、建物躯体の保持部に躯体間の間隙の幅方向・長手方向・傾動方向に摺動自在に保持されているから、震動、不同沈下、温度変化等により、両側の建物躯体の大きな変位をしても、これに良好に追従しつつ確実な支持対応することができる。
【００４５】
しかも、ホルダ構造は簡単であるから、コストを低く抑えることができる。
【００４６】
さらに、ベース部は水平に、前記カバー材支持部はカバー材の背面に沿って斜めに区画形成されたホルダであるから、カバー材の傾斜度合いを大きく設置でき、かつ、変位時のカバー材の変形を確実に防止し、震動、不同沈下等の変位にも対応することができる。
【００４７】
さらにまた、ベース部は躯体間の間隙の幅方向に上下に並列配置された細長い支承部材によって、建物躯体に固定した保持部で支承されて成るものであるから、ホルダのベース部の強度を高めた建物躯体の強い保持と共に変位時の躯体間の間隙の幅方向に摺動自在に保持される。
【００４８】
請求項２に係る発明によれば、ベース部を、両側の建物躯体に代え、一方の建物躯体上に摺動自在に支持させ、前記カバー材支持部の他端を他方の建物躯体の壁部に回動自在に連結したから、２つの建物躯体とからなる入隅部の建物躯体の大きな変位にも設置することができる。
【００４９】
請求項３に係る発明によれば、保持部は建物躯体上の長手方向に上下に並列した支承部が設けられているから、保持部とホルダ上方のカバー材支持部に区画されたベース部は、建物躯体の間隙の幅方向・傾動方向などに確実な状態に摺動し安定保持される。
【００５０】
請求項４に係る発明によれば、カバー材の天板を載置する支持強度を高め、かつ、カバー材の変形防止となる。
【００５１】
請求項５に係る発明によれば、カバー材の天板背面に取付けたカバー補強部材で、カバー材自体の強度と変位時の変形を防止できると相俟ったカバー材支持部の確実な載置を得ることができる。
【図面の簡単な説明】
【図１】  本発明に係るエキスパンションジョイントの縦断面図
【図２】  上記エキスパンションジョイントのホルダ部分の斜視図
【図３】  カバー材の連設部分の断面図
【図４】  入隅部に設けたエキスパンションジョイントの縦断面図
【図５】  ホルダの一端部の構成を示す斜視図
【図６】  保持部の斜視図
【図７】  ホルダの支持態様のさらに別の例を示す縦断面図
【符号の説明】
１、２  建物躯体
３  ホルダ
４  カバー材
８  ベース部
９  カバー材支持部
【図１】
0003755746.tif 000002
【図２】
0003755746.tif 000003
【図３】
0003755746.tif 000004
【図４】
0003755746.tif 000005
【図５】
0003755746.tif 000006
【図６】
0003755746.tif 000007
【図７】
0003755746.tif 000008